(57)【要約】【課題】乳化剤として逆ベシクルを用いた三相乳化法によって得られた油中水（Ｗ／Ｏ）型エマルションの保存安定性を高め、油相の構成溶剤として石油系炭化水素溶剤の使用を可能にするとともに、エマルションインクとしての応用も可能にする。【解決手段】乳化剤として、ショ糖脂肪酸エステルで形成されたベシクルを使用し、エマルションインク中に常温で液体の脂肪族１価アルコールを含有させる。該アルコールは、炭素数４〜８の脂肪族アルコールが好ましい。アルコールの添加量は、エマルション全量の０．１〜１０質量％が好ましい。エマルションの油相は、石油系炭化水素溶剤を含有することができる。該エマルションは、インク特にインクジェット印刷用インクとして使用できる。【選択図】なし【特許請求の範囲】
【請求項１】
ショ糖脂肪酸エステルにより形成された逆ベシクルを乳化剤として含有する油中水（Ｗ／Ｏ）型エマルションであって、該エマルションが、常温で液体の脂肪族１価アルコールを含んでなることを特徴とする油中水（Ｗ／Ｏ）型エマルション。
【請求項２】
前記脂肪族１価アルコールが、炭素数４〜８のアルコールである請求項１に記載の油中水（Ｗ／Ｏ）型エマルション。
【請求項３】
前記アルコールの添加量が、エマルション全量の０．１〜１０質量％である請求項１に記載の油中水（Ｗ／Ｏ）型エマルション。
【請求項４】
前記ショ糖脂肪酸エステルのＨＬＢが６〜１２である請求項１に記載の油中水（Ｗ／Ｏ）型エマルション。
【請求項５】
前記エマルションの油相が、石油系炭化水素溶剤を含有してなる請求項１に記載の油中水（Ｗ／Ｏ）型エマルション。
【請求項６】
請求項１〜５の何れか１項に記載の油中水（Ｗ／Ｏ）型エマルションを含んでなるエマルションインク。
【発明の詳細な説明】
【技術分野】
【０００１】
本発明は、逆ベシクルを乳化剤として用いた三相乳化法により形成された油中水（Ｗ／Ｏ）型エマルション及びエマルションインクに関する。
【背景技術】
【０００２】
従来の界面活性剤を用いた乳化法では、油と水との界面に界面活性剤を吸着させ、その界面エネルギーを低下させる事を乳化・分散法の基本としていたので、その界面張力を低下させるために多量の乳化剤を必要としていた。
【０００３】
近年、両親媒性化合物のナノ粒子をファンデルワールス力により油界面に付着させることによりエマルションを形成する方法が提案されており、そこでは、両親媒性化合物のナノ粒子として、水中で自己組織化したベシクルが用いられている（特許文献１〜４参照）。
【０００４】
上記ベシクルを用いた方法では、安定な水中油（Ｏ／Ｗ）型エマルションを得る事が出来るが、油中水（Ｗ／Ｏ）型エマルションについては、内水相が極めて少ない領域でしか得られていない。
【０００５】
一方、両親媒性化合物は、油中で通常のベシクルとは逆に親水基同士を向け合った二分子膜である逆ベシクルを自己組織化することが報告されているが、これを乳化剤として用いた三相乳化法によるエマルション形成の研究については未だ報告がない（非特許文献１〜３）。
【０００６】
そこで、本出願人は、先に、油相としてシクロヘキサンやドデカンなどの試薬グレードの炭化水素溶剤を使用した系で乳化剤として逆ベシクルを用いることにより油中水（Ｗ／Ｏ）型エマルションが得られることを見出し特許出願した（特願２００８−２８１３０１    号）。しかし、この技術では、インク溶剤として一般的に使用されている石油系炭化水素溶剤を油相に含有させた場合、得られる油中水（Ｗ／Ｏ）型エマルションの保存安定性に劣ることがあった。
【先行技術文献】
【特許文献】
【０００７】
【特許文献１】特開２００６−２３９６６６号公報
【特許文献２】特開２００６−２４１４２４号公報
【特許文献３】特開２００７−７４９０９号公報
【特許文献４】特開２００７−７７１７８号公報
【非特許文献】
【０００８】
【非特許文献１】國枝博信，中村和吉，ファインケミカル，Vol. 23, No.4, p.12-20(1994)
【非特許文献２】國枝博信，高分子，Vol. 44, No.9, p.624 (1995)
【非特許文献３】國枝博信，小川悦子，表面，Vol. 34, No.11, p.24-32(1996)
【発明の概要】
【発明が解決しようとする課題】
【０００９】
上記状況に鑑み、本発明の目的は、乳化剤として逆ベシクルを含有した油中水（Ｗ／Ｏ）型エマルションの保存安定性を改良するだけでなく、インクとしても実用に供し得る油中水（Ｗ／Ｏ）型エマルションを提供することにある。
【課題を解決するための手段】
【００１０】
本発明者は、上記目的の下に鋭意研究した結果、特定の化合物により形成された逆ベシクルを使用して三相乳化法により得られた油中水（Ｗ／Ｏ）型エマルションに特定のアルコールを共存させることにより、保存安定性に優れた油中水（Ｗ／Ｏ）型エマルションが得られることを見出し、本発明を完成するに至った。
【００１１】
すなわち、本発明によれば、ショ糖脂肪酸エステルにより形成された逆ベシクルを乳化剤として含有する油中水（Ｗ／Ｏ）型エマルションであって、該エマルションが、常温で液体の脂肪族１価アルコールを含んでなることを特徴とする油中水（Ｗ／Ｏ）型エマルションが提供される。
【発明の効果】
【００１２】
本発明の油中水（Ｗ／Ｏ）型エマルションは、ショ糖脂肪酸エステルにより形成された逆ベシクルを乳化剤として含有するとともに、特定のアルコールを含有するので、該アルコールが油相と水相の界面に存在して該界面を強化する作用を及ぼすので、保存安定性の高いエマルションが得られると考えられる。さらに、本発明の油中水（Ｗ／Ｏ）型エマルションは、従来の二相エマルションとは異なり、連続相を形成する油相と、該油相中で複数の逆ベシクルによって包囲されて分散相として点在する水相と、逆ベシクル内に包含された油相とからなる三相乳化構造を備え、さらには、水相は逆ベシクルの２分子膜の間に介在して逆ベシクルの安定化に寄与することもできるので、水含有量が高くても安定性の高い油中水（Ｗ／Ｏ）型エマルションが得られる。また、本発明の油中水（Ｗ／Ｏ）型エマルションは、従来の二相エマルションとは異なり、各種の広範囲なＨＬＢ値を備えた乳化剤を使用することができ、エマルションの設計の自由度が高い。また、本発明の油中水（Ｗ／Ｏ）型エマルションは、水含有量が高くてもエマルションの粘度が低く、さらには、逆ベシクル内に各種の水溶性又は油溶性の成分を含有させることもできるため、従来の用途だけでなくそれ以外の様々な用途にも応用が期待できる。また、本発明の油中水（Ｗ／Ｏ）型エマルションは、インク溶剤として一般的に使用されている石油系炭化水素溶剤を油相に含有させた場合でも保存安定性が高く維持されるため、顔料などの色材を含有させることによりエマルションインクとして使用でき、エマルションの粘度が低いため、インクジェット印刷用エマルションインクとしても使用できる。
【発明を実施するための形態】
【００１３】
以下、本発明を更に詳細に説明する。
本発明で使用する逆ベシクルとは、両親媒性化合物であるショ糖脂肪酸エステルが親水基同士を向かい合わせて配列した二分子膜を備える閉鎖小胞体をいい、その詳細は、上記非特許文献１〜３に記載されている。
【００１４】
本発明で使用する逆ベシクルは、例えば、ショ糖脂肪酸エステルを有機溶剤中に混合して機械的振とうを加えることにより調製することができる。機械的振とうは、混合装置、超音波処理装置などにより加えることができる。混合装置としては、ボルテックスミキサー等のミキサーが挙げられる。超音波処理装置としては、ホモジナイザー等が挙げられる。また、機械的振とうを加えずに、ショ糖脂肪酸エステルを有機溶剤で希釈するだけでショ糖脂肪酸エステルが自発的に逆ベシクルを形成する場合もある。逆ベシクルを調製する際に、ショ糖脂肪酸エステルと一緒に、後記する本発明のアルコール成分を有機溶剤中に添加してもよい。また、逆ベシクルを安定化させるために、水又は別種の有機溶剤若しくは両親媒性物質を少量添加してもよく、また、混合時に40〜90℃程度に加温してもよい。逆ベシクルが形成されているかどうかは、例えば、偏光や微分干渉を利用した光学顕微鏡観察や、凍結割断法による電子顕微鏡観察により確認することができる。
【００１５】
ショ糖脂肪酸エステルは、有機溶剤中でラメラ液晶を形成するものであれば特に限定されず、例えば、ショ糖と炭素数１２〜２０の高級脂肪酸とのエステルがより好ましく、ＨＬＢ６〜１６のショ糖脂肪酸エステルがさらにより好ましく、ＨＬＢ６〜１２のショ糖脂肪酸エステルが特に好ましい。
【００１６】
有機溶剤は、その中でショ糖脂肪酸エステルが逆ベシクルを形成でき、この形成された逆ベシクルを安定に保持できるものであれば特に限定されず、例えば、炭素数６乃至２０の脂肪族又は脂環式炭化水素溶剤、石油系炭化水素溶剤などの非極性溶剤が挙げられる。好ましい脂肪族炭化水素溶剤としては、炭素数８乃至１６の脂肪族炭化水素溶剤が挙げられる。好ましい脂環式炭化水素溶剤としては、炭素数５〜７の脂環式飽和炭化水素溶剤が挙げられる。好ましい石油系炭化水素溶剤としては、ナフテン系、パラフィン系、イソパラフィン系等の石油系炭化水素溶剤、例えば、エクソンモービル社製「アイソパー、エクソール」（いずれも商品名）、新日本石油社製「ＡＦソルベント」（商品名）、サン石油社製「サンセン、サンパー」（いずれも商品名）等が挙げられる。これらは、単独で、または、２種以上組み合わせて用いることができる。また、これらの非極性溶剤は、必要に応じて極性溶剤と混合して使用してもよい。なお、この有機溶剤は、通常、本発明の油中水（Ｗ／Ｏ）型エマルションの油相の溶剤成分としても使用されるが、前者の溶剤と後者の溶剤は同一であっても異なってもよい。
【００１７】
本発明のアルコール成分としては、常温即ち２３℃で液体の脂肪族１価アルコールが使用され、炭素数４〜８の直鎖又は分岐鎖の脂肪族１価アルコールを使用することが好ましく、このうち直鎖のものがより好ましい。好ましいアルコールの具体例としては、ブタノール、ペンタノール、ヘキサノール、へプタノール、オクタノールなどが挙げられ、特に好ましくはヘキサノールである。このアルコール成分は、最終的にエマルション中に存在していればよく、上記逆ベシクル分散液を調製する段階で添加してもよく、また、逆ベシクル分散液を用いて油中水（Ｗ／Ｏ）型エマルション又は油中水（Ｗ／Ｏ）型エマルションインクを調製する段階で添加してもよい。
【００１８】
逆ベシクルを形成させる際に有機溶剤に添加するショ糖脂肪酸エステルの量は、両者の種類によって異なるが、通常、ショ糖脂肪酸エステルの有機溶剤に対する比率で１：５乃至１：２０である。逆ベシクルを形成させる際に有機溶剤にアルコールを添加する場合、アルコールの添加量は、両者の種類によって異なるが、通常、アルコールの有機溶剤に対する比率で１：５乃至１：２０である。この場合、アルコールのショ糖脂肪酸エステルに対する比率は、両者の種類によって異なるが、通常、１：２０乃至２：１である。油中水（Ｗ／Ｏ）型エマルション全量に対するショ糖脂肪酸エステルの含有量は、三相の油中水（Ｗ／Ｏ）型エマルションが得られる限り特に制限されず、通常、該エマルション全量に対して１〜１０質量％である。また、油中水（Ｗ／Ｏ）型エマルション全量に対するアルコールの含有量は、油中水（Ｗ／Ｏ）型エマルションの保存安定性を向上させることができれば特に制限されず、通常、０．１〜１０質量％であり、好ましくは０．１〜5質量％である。逆ベシクルの粒子径は、通常３μｍ以下であり、２．５μｍ以下であることが好ましい。逆ベシクルの粒子径が小さいほど、逆ベシクルの安定性、延いては、本発明の油中水（Ｗ／Ｏ）型エマルションの安定性が向上する。使用するショ糖脂肪酸エステルのＨＬＢの値が小さいほど逆ベシクルの粒子径が小さくなる傾向があり、また、逆ベシクル形成時に超音波処理装置を用いると逆ベシクルの粒子径を小さくすることができる。
【００１９】
得られた逆ベシクル分散液は、そのまま本発明の油中水（Ｗ／Ｏ）型エマルションの油相として使用することもできるし、該逆ベシクル分散液を有機溶剤で希釈して油相として使用してもよい。また、該逆ベシクル分散液を遠心分離することで、逆ベシクルを濃縮して本発明の油中水（Ｗ／Ｏ）型エマルションの油相として使用することもでき、また、この濃縮された溶液を再度有機溶剤で希釈して油相として使用することもできる。希釈に使用する溶剤は、逆ベシクル形成時に使用した有機溶剤と同じであってもよく、また、逆ベシクルの安定性に影響を与えない限り、他の有機溶剤であってもよい。
【００２０】
本発明の油中水（Ｗ／Ｏ）型エマルションは、上記で得られた油相に水相を添加して乳化機で乳化することにより調製することができる。水相は、水のみであってもよく、適当な添加剤を含有してもよい。得られた油中水（Ｗ／Ｏ）型エマルションに、さらに油相または水相を添加して乳化してもよい。乳化機としては、公知の超音波ホモジナイザー等を使用することができる。この乳化工程で、油相または水相に色材を添加することにより、エマルションインクを調製することができる。
【００２１】
色材としては油相または水相に溶解または安定に分散するものであれば特に制限されず、印刷の技術分野で一般に用いられている染料及び顔料から適宜選択して用いることができるが、耐候性が高い印刷物が得られることから、顔料を使用することが好ましい。顔料は、有機顔料及び無機顔料の何れであってもよく、具体例としては、カーボンブラック、カドミウムレッド、クロムイエロー、カドミウムイエロー、酸化クロム、ピリジアン、チタンコバルトグリーン、ウルトラマリンブルー、プルシアンブルー、コバルトブルー、アゾ系顔料、フタロシアニン系顔料、キナクリドン系顔料、イソインドリノン系顔料、ジオキサジン系顔料、スレン系顔料、ペリレン系顔料、チオインジゴ系顔料、キノフタロン系顔料、金属錯体顔料などが挙げられる。これらの顔料は単独で用いてもよいし、２種以上組み合わせて使用してもよい。染料としては、たとえば、アゾ系、アントラキノン系、アジン系等の油溶性または水溶性染料を用いることができる。色材は、エマルションインク全量に対して０．０１〜２０質量％の範囲で含有されることが好ましい。
【００２２】
油相の添加量は、上記逆ベシクルの乳化作用により形成された三相の油中水（Ｗ／Ｏ）型エマルションが得られる限り特に制限されず、通常、エマルション全量に対して５〜９５質量％とすることができ、好ましくは、３０％〜９５％、より好ましくは、６０％〜９０％である。
水の添加量は、上記逆ベシクルの乳化作用により形成された三相の油中水（Ｗ／Ｏ）型エマルションが得られる限り特に制限されず、通常、エマルション全量に対して５〜９５質量％とすることができ、好ましくは、５％〜７０％、より好ましくは、１０％〜４０％である。
【実施例】
【００２３】
以下、本発明を実施例により詳細に説明するが、本発明はこの実施例に限定されるものではない。
【００２４】
実施例１
（１）逆ベシクル分散液の調製
表１に示すように、有機溶剤（非極性溶剤）３０．５質量部にＨＬＢ９のショ糖ステアリン酸エステル（Ｓ−９７０（商品名）三菱化学フーズ社製）３質量部及びｎ−ヘキサノール１．５質量部を添加し、６０℃で２分間加温した後、ボルテックスミキサーで振とうし、再度、６０℃で２分間加温した後、ボルテックスミキサーで振とうし、逆ベシクル分散液を調製した。この時点で逆ベシクルが形成されたことは、光学顕微鏡を用いた微分干渉観察においてベシクル特有のドーナツ状の分子集合体が観察され、また、偏光顕微鏡観察からマルターゼクロスが観察されたことにより確認した。また、凍結割断法を用いた透過型電子顕微鏡（ＦＦ−ＴＥＭ）観察でも逆ベシクルの形成が確認できた。また、動的光散乱法によって測定した逆ベシクルの粒子径（平均粒子径）は、調製１日後で約２１００ｎｍであった。
【００２５】
（２）油中水（Ｗ／Ｏ）型エマルションの調製
上記で調製した逆ベシクル分散液を一日静置した後、該分散液にイオン交換水１５質量部を添加し、高速ホモジナイザーで１６０００ｒｐｍにて５分間攪拌して乳化し、エマルションを調製した。得られたエマルションは油中水（Ｗ／Ｏ）型であった。
【００２６】
（３）油中水（Ｗ／Ｏ）型エマルションインクの調製
表１に示すように、カーボンブラック（ＭＡ−１１（商品名）三菱化学社製）７．８部を、分散剤Ｓ１１２００（ソルスパース１１２００（商品名）ルーブリゾール社製）２．１ｇ及び分散剤Ｖ２１６（ＡＮＴＡＲＯＮ  Ｖ２１６（商品名）ＩＳＰジャパン社製）２．６ｇを用いてインク溶剤ＡＦ−７（ＡＦ−７（商品名）新日本石油社製）１１．２ｇ中に分散して顔料分散体を調製した。
上記（２）で得られたエマルションに、この顔料分散体全量とインク溶剤ＡＦ−７（ＡＦソルベント７号（商品名）新日本石油社製）２６．３ｇを添加し、混合することによりエマルションインクを得た。
【００２７】
（４）評価試験
（４−１）インク粘度及び保存安定性
得られたエマルションの粘度をＡＲ−Ｇ２（ティー・エイ・インスツルメント        社製）を用いて室温（２３℃）で測定した。また、得られたエマルションを室温（２３℃）で静置し、乳化の状態を経時（１時間後、１日後、１週間後）で目視観察し、下記の基準に従い評価した。結果を表１に示す。
【００２８】
乳化状態の評価基準
○：分離無し。
△：水滴の沈降があるが攪拌により均一になる。
×：分離。
―：測定不可。
【００２９】
（４−２）吐出安定性
東芝テック社製のピエゾ方式インクジェットヘッドから１passでインクを吐出した場合、ヘッドからインクが正常に吐出されるか否かについて試験し、以下のように評価した。
○：全ノズルからインクが正常に吐出される。
×：インクが吐出されないノズルが全ノズルの半分以上。
【００３０】
（４−３）画質
普通紙（理想科学工業社製「理想用紙薄口」）に５．４ｃｍ×３．４ｃｍ角のベタを東芝テック社製のピエゾ方式インクジェットヘッドから1passで印字し、２４時間放置後、印字したベタ部の表側及び裏側をＯＤ計（マクベス社製）で測定し、表側の測定値を表濃度とし、裏側の測定値から紙のＯＤ値を差し引きしたものを裏抜けとし、以下のように評価した。
表濃度  ○：ＯＤ値が１．００以上。
△：ＯＤ値が１．００未満。
―：ＯＤ値が測定できない場合。
裏抜け  ○：ＯＤ値が０．２５未満。
△：ＯＤ値が０．２５以上。
―：ＯＤ値が測定できない場合。
【００３１】
実施例２〜８、比較例１〜４
配合処方を表１に示すように変更した以外、実施例１と同様にして油中水（Ｗ／Ｏ）型エマルションインクを調製し、評価した。結果を表１に示す。
【００３２】
【表１】
2011110482.tif 000002
【００３３】
尚、表１記載の原材料の詳細は下記のとおりである。
ＡＦ−７：新日本石油社製「ＡＦ−７（商品名）」（ナフテン系溶剤）。
Ｓ−９７０：三菱化学フーズ社製「Ｓ−９７０（商品名）」（ショ糖ステアリン酸エステル、ＨＬＢ９）。
ＨｅｘａｇｌｙｎＰＲ−３０：日光ケミカルズ社製「ＨｅｘａｇｌｙｎＰＲ−３０」（ポリリシノール酸ヘキサグリセリル）
ＭＡ１１：三菱化学社製「ＭＡ―１１（商品名）」（カーボンブラック）。
Ｓ１１２００：ルーブリゾール社製「ソルスパース１１２００（商品名）」（脂肪族炭化水素(非極性)溶剤を５０％含有する顔料分散剤）。
Ｖ２１６：ＩＳＰジャパン社製「ＡＮＴＡＲＯＮ  Ｖ２１６（商品名）」（顔料分散剤）
【００３４】
表１の結果から、ショ糖脂肪酸エステルから形成された逆ベシクルを乳化剤として用いた三相乳化法により得られた油中水（Ｗ／Ｏ）型エマルションに常温で液体の脂肪族１価アルコールを含有させることにより、保存安定性が改善され、エマルションインクとしても使用できることがわかる。特に、油相を構成する溶剤が石油系炭化水素溶剤を含む場合は、従来の逆ベシクルでは安定な油中水（Ｗ／Ｏ）型エマルションを形成できなかったが、本発明の逆ベシクルでは保存安定性に優れた油中水（Ｗ／Ｏ）型エマルション得られ、これに色材を含有させることにより、エマルションインク、特に低粘度のインクジェット印刷用エマルションインクを提供できることわかる。
【産業上の利用可能性】
【００３５】
本発明の油中水（Ｗ／Ｏ）型エマルションは、医薬品、化粧品、食品、エマルションインクなどに使用でき、油相に石油系炭化水素溶剤を含有させた場合には、エマルションインク、特にインクジェット印刷用のエマルションインクとして好適である。